(57)【要約】【課題】保湿効果を高めるとともに、首の皺を形成しづらくする。【解決手段】使用者の首を覆うネック本体部２を備える衣料１である。ネック本体部２は、可撓性部１０を有する。可撓性部１０は、仰臥時に、顎下三角に付勢される位置に上端部が取り付けられ、当該付勢力が作用したときに上端部と鎖骨側に位置する下端部との間で甲状軟骨付近が肌側から離れる向きに撓みを形成する。【選択図】図１
2014189916.tif 000002
【特許請求の範囲】
【請求項１】
使用者の首を覆うネック本体部を備える衣料であって、
前記ネック本体部は、可撓性部を有し、
前記可撓性部は、
仰臥時に、顎下三角に付勢される位置に上端部が取り付けられ、当該付勢力が作用したときに前記上端部と鎖骨側に位置する下端部との間で甲状軟骨付近が肌側から離れる向きに撓みを形成する
ことを特徴とする衣料。
【請求項２】
前記可撓性部は、前記ネック本体部より厚く形成される
ことを特徴とする請求項１に記載の衣料。
【請求項３】
前記可撓性部は、少なくとも上下両端付近で、前記ネック本体部に接続する
ことを特徴とする請求項１または２に記載の衣料。
【請求項４】
仰臥時に、前記可撓性部の下端部は、上胸部分に付勢される位置まで鎖骨側よりも下側に延在している、
ことを特徴とする請求項１〜３のいずれか１項に記載の衣料。
【請求項５】
前記可撓性部は、湾曲自在の面部材により形成され、前記使用者の甲状軟骨に対応する位置に開口部を備える
ことを特徴とする請求項１〜３のいずれか１項に記載の衣料。
【請求項６】
使用者の首を覆うネック本体部を備える衣料の前記ネック本体部に用いる可撓性パーツであって、
前記ネック本体部に着脱可能であって、
仰臥時に、顎下三角に付勢される位置に上端部が取り付けられ、当該付勢力が作用したときに前記上端部と鎖骨側に位置する下端部との間で甲状軟骨付近が肌側から離れる向きに撓みを形成する
ことを特徴とする可撓性パーツ。
【発明の詳細な説明】
【技術分野】
【０００１】
本発明は、使用者の首を覆うネック本体部を備える衣料、およびネック本体部に装着する可撓性パーツに関する。
【背景技術】
【０００２】
一般的に、皺などの加齢などによる影響が、首に及びやすいことが知られており、首を美しく保ちたいと希望する女性が多い。首を美しく保つために、クリームなどの化粧品を首に塗布し、保湿効果を期待することが知られている。
【０００３】
一方、頭を固定して乗り物酔いを防止するために、柔らかい材質で形成され、首へのフィット感の良い乗り物酔い防止具がある（例えば、特許文献１参照。）。また、緊急の気管開口術のために患者の喉への入り口となる穴を設けた頚用カラーがある（例えば、特許文献２参照。）。
【先行技術文献】
【特許文献】
【０００４】
【特許文献１】特許第３４７０１８１号公報
【特許文献２】特開平３−６４１３６号公報
【発明の概要】
【発明が解決しようとする課題】
【０００５】
しかしながら、首を美しく保つために、化粧品を首に塗布したのみでは、充分な保湿効果を実感できない場合もある。そこで、ネックウォーマーなどを着用することにより、保湿効果を高めることが期待できる。さらに、仰臥時において、顎が下がり首の皮膚があまることによる皺の形成を防ぎ、首を美しく保つことも考えられる。しかしながら、このような状態を実現するためには、例えば、枕を使わずに就寝することによって顎が上がり皺が形成されないようにする必要があり、普段、枕を使う人にとっては寝つきが悪くなったり、朝起きた時に首や肩が凝ったりする等、実際に行うには問題があった。
【０００６】
またいずれの特許文献に記載の発明も、首の保湿効果を高めるものではなく、首の皺を形成しづらくする効果があるとは考えられない。
【０００７】
従って本発明の目的は、保湿効果を高めるとともに、首の皺を形成しづらくすることのできる衣料および可撓性パーツを提供することである。
【課題を解決するための手段】
【０００８】
上記課題を解決するために、本発明の第１の特徴は、使用者の首を覆うネック本体部を備える衣料に関する。ネック本体部は、可撓性部を有し、可撓性部は、仰臥時に、顎下三角に付勢される位置に上端部が取り付けられ、当該付勢力が作用したときに上端部と鎖骨側に位置する下端部との間で甲状軟骨付近が肌側から離れる向きに撓みを形成する。
【０００９】
本発明の第２の特徴は、使用者の首を覆うネック本体部を備える衣料のネック本体部に用いる可撓性パーツに関する。第２の特徴に係る衣料において、可撓性パーツは、ネック本体部に着脱可能であって、仰臥時に、顎下三角に付勢される位置に上端部が取り付けられ、当該付勢力が作用したときに上端部と鎖骨側に位置する下端部との間で甲状軟骨付近が肌側から離れる向きに撓みを形成する。
【発明の効果】
【００１０】
本発明によれば、保湿効果を高めるとともに、首の皺を形成しづらくすることのできる衣料および可撓性パーツを提供することができる。
【図面の簡単な説明】
【００１１】
【図１】本発明の実施の形態に係る衣料を説明する図である。
【図２】本発明の実施の形態に係る衣料を使用者が着用した図である。
【図３】本発明の実施の形態に係る衣料を着用した使用者を説明する図である。
【図４】前頸部近辺の筋肉、骨および名称を説明する図である。
【図５】本発明の実施の形態に係る可撓性部のバリエーションを説明する図である。
【図６】本発明の実施の形態に係る衣料を使用者が着用した図である。
【図７】本発明の第１の変形例に係る衣料を説明する図である。
【図８】本発明の第１の変形例に係る衣料を使用者が着用した図である。
【図９】本発明の第１の変形例に係る衣料を着用した使用者と衣料を説明する図である。
【図１０】本発明の第１の変形例に係る可撓性部を説明する図である。
【図１１】本発明の第１の変形例に係る可撓性部のバリエーションを説明する図である。
【図１２】本発明の第２の変形例に係る衣料を使用者が着用した図である。
【図１３】本発明の第３の変形例に係るボレロを使用者が着用した図である。
【図１４】本発明の第３の変形例に係るケープを使用者が着用した図である。
【図１５】本発明の第３の変形例に係るマフラーを使用者が着用した図である。
【図１６】本発明の第３の変形例に係るフードを使用者が着用した図である。
【図１７】本発明の第３の変形例に係るネックウォーマーを使用者が着用した図である。
【図１８】本発明の第３の変形例に係る前掛け付きネックウォーマーを使用者が着用した図である。
【発明を実施するための形態】
【００１２】
次に、図面を参照して、本発明の実施の形態を説明する。以下の図面の記載において、同一または類似の部分には同一または類似の符号を付している。
【００１３】
また、図４を参照して、本発明の実施の形態などにおいて参酌する身体の部位名称を説明する。鎖骨１０１は、胸部上方の体表近くに水平にある棒状の骨である。甲状軟骨１０２は、喉頭の骨格をつくる軟骨の一つであって、一般的に、のど仏と称される場合もある。胸鎖乳突筋１０３は、側頸部を下前方から後上方に走るやや幅広の帯状の筋である。舌骨１０４は、下顎と咽頭の間に存在するU字形をした骨である。顎下三角１０５は、下顎の皮膚のうち、左右両サイド部分である。
【００１４】
（実施の形態）
本発明の実施の形態に係る衣料１は、図１〜図３に示すように、使用者の首を覆い、上下方向に突出したネック本体部２を備える、ハイネックシャツなどの上半身衣料である。図１〜図３において、各（ａ）は、首前面が伸びた状態のネック本体部２を説明し、（ｂ）は、仰臥時のネック本体部２を説明する。図１および図２において、ネック本体部２の前中心位置を、一点鎖線で示す
ネック本体部２は、身頃部３の首繰りから続き、使用者の首を覆う部分である。ネック本体部２は、使用者の首の保湿状態を維持可能な生地であれば、どのような生地で形成されても良い。また、使用者の首に程よく接し、特に化粧品を塗布した後も首の不快感が抑制される生地で形成されることが好ましい。
【００１５】
図１に示すように、本発明の実施の形態に係るネック本体部２は、可撓性部１０と、縮小規制部２１を備える。可撓性部１０は、ネック本体部２の前中心を少し外れた位置に設けられる。縮小規制部２１は、ネック本体部２の首後の両サイドに設けられる。
【００１６】
図２および図３に示すように、首前部分が伸びている立位時に比べて、仰臥時は顎の位置が下がるので、使用者の首前部分に弛みが生じ、皺の原因になりうると考えられる。そこで本発明の実施の形態に係るネック本体部２は、仰臥時においても、首前部分に張りを持たせ、弛みが生じないように、可撓性部１０を備える。
【００１７】
可撓性部１０は、図２（ａ）に示すように、棒形状であり、使用者の甲状軟骨１０２の付近に設けられる。可撓性部１０は、仰臥時に、顎下三角に付勢される位置に上端部１１が取り付けられ、当該付勢力が作用したときに上端部１１と鎖骨側に位置する下端部１２との間で甲状軟骨付近が肌側から離れる向きに撓みを形成する。可撓性部１０は、図１（ｂ）および図２（ｂ）に示すように、仰臥時に、使用者の甲状軟骨１０２の付近で、使用者側に余裕を形成するために、上下に伸縮可能である。可撓性部１０によって使用者側に形成される余裕は、可撓性部１０やネック本体部２による接触圧を緩和するためのものである。
【００１８】
可撓性部１０は、図１に示すように、長方形形状である。可撓性部１０は、可撓性部１０の長手方向が、使用者の上下方向となるように、ネック本体部２に配設される。可撓性部１０の上端１１から下端１２は、立位時に湾曲していない状態で、使用者の首元から顎下付近に亘る長さとほぼ同じ長さを有する。図２（ａ）に示す例において可撓性部１０は、使用者の甲状軟骨１０２の左側に設けられる場合を説明するが、右側に設けられても良く、また左右両側にそれぞれ設けられても良い。
【００１９】
可撓性部１０は、ネック本体部２より厚く形成され、弾力性を有する。可撓性部１０は、ネック本体部２に更に部材を接続して形成しても良い。例えば可撓性部１０は、ネック本体部２を形成する布と一連でない布を縫いつけることにより、可撓性部１０にハリコシ（張り・腰とも表現できる）を与えて形成しても良い。また可撓性部１０は、ネック本体部２の布を、甲状軟骨１０２を外した位置で弛ませて、ネック本体部２を形成する布と一連の布を折りたたむなどにより、ハリコシのある可撓性部１０の形状を形成しても良い。また可撓性部１０は、ネック本体部２を形成する布とは異なる素材の、弾力性を有する樹脂シートで形成しても良い。また可撓性部１０は、ネック本体部２に樹脂プリントをすることにより、弾力性を与えて形成しても良い。
【００２０】
可撓性部１０は、少なくとも上下両端付近で、ネック本体部２に接続する。このような可撓性部１０は、図１（ｂ）、図２（ｂ）および図３（ｂ）に示すように、仰臥時に、上端１１および下端１２が近づくように、使用者の外側（前側）に湾曲して伸縮する。これにより、可撓性部１０は、使用者の甲状軟骨１０２の付近に遊びを形成する。また、可撓性部１０の上下両端が、下顎および鎖骨１０１に接続して支えることにより、下顎が下がりすぎないように支える。
【００２１】
より具体的には、仰臥時に、可撓性部１０の上端１１側は、使用者の顎下三角１０５の近傍に配置する。仰臥時に、可撓性部１０の下端部は、上胸部分に付勢される位置まで鎖骨側よりも下側に延在している。具体的には、図３（ｂ）に示すように、可撓性部１０の下端１２側は、顎下三角１０５によって押されたときに、使用者の身体の一部近傍、具体的には、使用者の鎖骨付近に配置される。さらに可撓性部１０の下端１２が鎖骨１０１の付近に当接した状態で、可撓性部１０の上端１１が顎下三角１０５によってさらに押される。これにより、可撓性部１０は、使用者の外側に向けて湾曲し、甲状軟骨１０２の近傍に空間を形成するとともに、下顎が下がりすぎないように支える。
【００２２】
可撓性部１０は、例えば、ネック本体部２の内側（使用者側）に配設される。この場合、可撓性部１０の少なくとも上端１１近傍および下端１２近傍がネック本体部２に接続する。これにより、仰臥時に、可撓性部１０を外側に湾曲させて、可撓性部１０でネック本体部２を使用者の首から離して持ち上げ、使用者の甲状軟骨１０２の近傍に空間を形成する。可撓性部１０をネック本体部２の内側に配設する場合、ネック本体部２の外側に配設する場合に比べて、外観上、違和感を与えないことが期待できる。
【００２３】
また可撓性部１０は、ネック本体部２の外側に配設されても良い。この場合も、内側に設けられる場合と同様に、少なくとも上端１１近傍および下端１２近傍がネック本体部２に接続する。これにより、仰臥時に、可撓性部１０が外側に湾曲するのに伴って、ネック本体部２に緩みを持たせ、使用者の甲状軟骨１０２の近傍に空間を形成させる。ネック本体部２の外側に配設した可撓性部１０の全面を、ネック本体部２に接続しても良い。これにより、仰臥時に、可撓性部１０を外側に湾曲させて、可撓性部１０でネック本体部２を使用者の首から離して引き上げ、使用者の甲状軟骨１０２の近傍に空間を形成する。可撓性部１０をネック本体部２の外側に配設する場合、ネック本体部２の内側に配設する場合に比べて、使用者の着用感を損なわないことが期待できる。
【００２４】
またネック本体部２が袋状に縫製されている場合、可撓性部１０は、その袋内に配設されても良い。この場合も、内側に設けられる場合と同様に、少なくとも上端１１近傍および下端１２近傍がネック本体部２に接続する。これにより、仰臥時に、可撓性部１０が外側に湾曲するのに伴って、ネック本体部２の外側生地も外側に湾曲させるとともに内側生地に緩みを持たせ、使用者の甲状軟骨１０２の近傍に空間を形成させる。また、可撓性部１０の全面をネック本体部２の少なくとも内側生地に接続しても良い。これにより、仰臥時に、可撓性部１０が外側に湾曲するのに伴って、ネック本体部２の外側生地および内側生地を外側に湾曲させ、使用者の甲状軟骨１０２の近傍に空間を形成する。ここで、可撓性部１０の全面を、ネック本体部２の外側生地も接続しても良いし、内側生地と外側生地の両方に接続しても良い。可撓性部１０を袋状のネック本体部２の袋内に配設する場合、ネック本体部２の内側あるいは外側に配設する場合に比べて、外観上の違和感を与えないとともに、使用者の着用感を損なわないことが期待できる。
【００２５】
ここで、可撓性部１０のネック本体部２への装着方法は、ネック本体部２の布の厚さや柔らかさ、可撓性部１０の材質などによって、適切に選択される。また可撓性部１０は、ネック本体部２に縫着されても良いし、留め具などで着脱可能に接続されても良い。さらに、可撓性部１０の全面をネック本体部２に接続する際、可撓性部１０のネック本体部２側の面の全てがネック本体部２に接続される必要はなく、一部に非接続面を有していても良い。また可撓性部１０の左右方向の略中央位置で、上端１１付近から下端１２付近にかけて、ネック本体部２に縫着するなどでも良い。
【００２６】
本発明の実施の形態に係る衣料１は、仰臥時、使用者の首前部分で緩みを形成するため、ネック本体部２全体が身頃方向に引かれ、使用者の首が露出し、保湿効果を得られない場合が考えられる。そこで縮小規制部２１は、ネック本体部２の可撓性部１０から離れた位置に、ネック本体部２の上下方向の縮小を規制する。縮小規制部２１は、ブラジャー用ワイヤーループテープなどの保形性を有する素材で形成されてもよい。
【００２７】
縮小規制部２１は、立位時および仰臥時のいずれにおいても、前面側よりも形状変化の少ない背面側寄りの位置であって、かつネック本体部２全体が身頃方向に引かれるのを抑制可能な位置に設けられる。縮小規制部２１は、ネック本体部２が適度なゆとりを持つ場合でも、ネック本体部２のずり下がりを防止し、首を覆う状態を保持して、首の保湿効果を高める。図１〜図３に示す例では、縮小規制部２１が首後の両サイドに設けられる場合を説明したが、これ以外の位置に配設されても良い。
【００２８】
本発明の実施の形態に係る可撓性部１０は、略長方形の細長い棒状である場合を説明したが、これに限られない。可撓性部１０は、例えば図５（ａ）〜（ｃ）に示すように、様々なバリエーションが考えられる。図５（ａ）に示す可撓性部１０ａは楕円形状で、（ｂ）に示す可撓性部１０ｂは雲形状である。また図５（ｃ）に可撓性部１０ｃは、猫キャラクターの形状をしており、これら以外にも様々な形状が考えられる。図５（ｃ）に示したキャラクター形状の可撓性部１０ｃは、図６に示すように、衣料１の表側に配設されても良い。このようなキャラクター形状の可撓性部１０ｃも、図２を参照して説明した場合と同様に、立位時には、伸びた状態で配設され、仰臥時に、中央近辺が外側（前側）に湾曲した状態で配設される。
【００２９】
また、可撓性部１０は、ネック本体部２に着脱可能な伸縮パーツであっても良い。例えば、ネック本体部２において、甲状軟骨１０２を外した位置に可撓性部１０を装着するための留め具が設けられ、可撓性部１０に設けられた留め具と接続するなどにより、図６などに示すような装着状態を実現しても良い。
【００３０】
本発明の実施の形態に係る衣料１は、仰臥時にネック本体部２に外側に湾曲し甲状軟骨１０２の近傍に空間を形成する。これにより、仰臥時において、ネック本体部２により首の保湿効果を高めるとともに、ネック本体部２による使用者の首の接触圧を軽減することができる。本発明の実施の形態に係る衣料１は、比較的長い就寝中においても、首の保湿状態の維持を支援することができる。また、可撓性部１０の上下両端が、下顎および鎖骨に接続して支えることにより、可撓性部１０は、下顎が下がりすぎないように支え、仰臥時においても、使用者の首前面にしわが形成されづらい状態を維持することができる。
【００３１】
図１〜図３に示す例において可撓性部１０は、平らに形成される棒形状である場合を説明したがこれに限られない。例えば、可撓性部１０は、予め外側に湾曲した形状で保形され、仰臥時のみならず立位時においても、甲状軟骨１０２の近傍に空間を形成しても良い。また、可撓性部１０は、予め外側に湾曲した形状で保形されて配設され、上端１１が下顎に押し出されることにより、外側にさらに湾曲しやすいように形成されても良い。
【００３２】
（第１の変形例）
本発明の実施の形態において可撓性部１０は、棒形状である場合を説明したが、第１の変形例においては、シート形状の可撓性部３０である場合を説明する。図７〜図９において、各（ａ）は、首前面が伸びた状態のネック本体部２を説明し、（ｂ）は、仰臥時のネック本体部２を説明する。
【００３３】
第１の変形例に係る可撓性部３０は、ゴム状の弾性シート（例えば、ポリエステルエラストマーシート）などの、弾力性があり、湾曲自在の面部材（シート部材）により形成される。また可撓性部３０は、ネック本体部２の首の前中心近傍位置に配設され、少なくとも上下両端付近で、ネック本体部２に接続する。このような可撓性部３０は、図７（ｂ）、図８（ｂ）および図９（ｂ）に示すように、仰臥時に、上端３１および下端３２が近づくように、使用者の外側に湾曲して伸縮する。これにより、可撓性部３０は、使用者の甲状軟骨１０２の付近に遊びを形成する。
【００３４】
より具体的には、仰臥時に、可撓性部３０の上端３１側は、使用者の下顎前中心の近傍位置に配置する。図９（ｂ）に示すように、また可撓性部３０の下端３２側は、下顎によって押されたときに、使用者の身体の一部、具体的には、使用者の鎖骨付近に近接する位置に配置される。さらに可撓性部３０の下端３２が鎖骨付近に当接した状態で、可撓性部３０の上端３１が下顎によってさらに押されることにより、可撓性部３０は、使用者の外側に向けて湾曲し、甲状軟骨１０２の近傍に空間を形成する。また、可撓性部３０の上下両端が、下顎および鎖骨に接続して支えることにより、下顎が下がりすぎないように支える。
【００３５】
また図９（ｂ）に示すように、可撓性部３０は、可撓性部３０の左右両端が、胸鎖乳突筋１０３の前中心側にかからないように配設される。可撓性部３０の左右両端が、胸鎖乳突筋１０３の前中心側の境界よりも外側または内側に位置するように、可撓性部３０は形成され配置される。
【００３６】
可撓性部３０は、ネック本体部２の内側に配設されても良いし、外側に配設されても良い。また、ネック本体部２が袋状に縫製される場合、可撓性部３０は、その袋内に配設されても良い。また可撓性部３０は、少なくとも上端３１近傍および下端３２近傍がネック本体部２に接続すれば良く、全面がネック本体部２に接続しても良いし、一部面がネック本体部２に接続しても良い。可撓性部３０のネック本体部２への装着方法は、ネック本体部２の布の厚さや柔らかさ、可撓性部３０の材質などによって、適切に選択される。
【００３７】
図１０を参照して、第１の変形例に係る可撓性部３０およびネック本体部２を説明する。図１０（ａ）に示すように、第１の変形例に係る可撓性部３０は、面状（シート状）であって、第１の開口部３３、第２の開口部３４および応力集中部３５を備える。
【００３８】
第１の開口部３３は、使用者の甲状軟骨１０２の近傍位置に設けられ、第２の開口部３４は、使用者の舌骨１０４の近傍位置に設けられる。使用者の甲状軟骨１０２の近傍位置および舌骨１０４の近傍位置は、ネック本体部２により保湿されるとともに、可撓性部３０に接しづらく配設される。
【００３９】
応力集中部３５は、第１の開口部３３の上部付近および下部付近の少なくとも一方に対応した位置に設けられ、湾曲を助長するものである。図１０に示す例では、可撓性部３０は、第１の開口部３３の上部付近の左右両端および第１の開口部３３の下部付近の左右両端に、応力集中部３５を設ける。図１０に示す例において応力集中部３５は、略三角形状の切り欠きであるが、これは一例であり、半円や矩形などの適宜の凹部により形成される。換言すれば、可撓性部３０は、凹状の応力集中部３５を形成することにより、湾曲する部分の長さが短くなり、湾曲しやすい形状を形成する。これらの応力集中部３５により、可撓性部３０の伸縮により生じる応力を集中させ、第１の開口部３３近辺において、使用者側に空間を形成しやすくする。
【００４０】
図１０（ｂ）は、第１の変形例に係るネック本体部２を、後中心位置で切断して開いた状態である。ネック本体部２の前中心位置Ｌに、可撓性部３０の中心が位置するように、可撓性部３０がネック本体部２に配設される。また、可撓性部３０から離れた位置であって、使用者の首後の両サイド近傍位置に、縮小規制部４１が配設される。
【００４１】
図１１を参照して、可撓性部３０の変形例を説明する。
【００４２】
図１１（ａ）に示す可撓性部３０ａは、左右両端が胸鎖乳突筋の外側に位置するような、幅広の略長方形形状を有する。図１１（ｂ）に示す可撓性部３０ｂは、左右両端が胸鎖乳突筋の内側よりも前中心側に位置するような、幅狭の略長方形形状を有する。図１１（ｃ）に示す可撓性部３０ｃは、左右両端が胸鎖乳突筋の前中心側の境界よりも外側に添って位置するような、略台形形状を有する。
【００４３】
図１１（ａ）、（ｂ）において、応力集中部３５ａ、３５ｂは、左右両端にそれぞれ設けられる切り欠き（凹部）であるのに対し、図１１（ｄ）の応力集中部３５ｄは、可撓性部３０ｄに設けられる楕円状の開口である。応力集中部３５ｄは、第１の開口部３３ｄから左右上下方向に離れた位置に設けられ、左右方向に長い開口である。換言すれば、可撓性部３０ｄは、可撓性部３０と同様に、開口する応力集中部３５ｄを形成することにより、湾曲する部分の長さが短くなり、湾曲しやすい形状を形成する。図１１（ｄ）に示すようなこれらの応力集中部３５ｄにより、可撓性部３０ｄの伸縮により生じる応力を集中させ、第１の開口部３３ｄ近辺において、使用者側に空間を形成しやすくする。
【００４４】
図１１（ａ）〜図１１（ｄ）に示すように、第１の開口部３３ａ〜３３ｄ、および第２の開口部３４ａ〜３４ｄは、甲状軟骨１０２および舌骨１０４の近辺が開口していれば、どのような形状でも良い。
【００４５】
本発明の第１の変形例に係る衣料１においても、本発明の実施の形態と同様に、仰臥時にネック本体部２の外側に湾曲し、甲状軟骨１０２の近傍に空間を形成する。これにより、仰臥時において、ネック本体部２により首の保湿効果を高めるとともに、ネック本体部２による使用者の首の接触圧を軽減することができる。これにより本発明の第１の変形例に係る衣料１は、比較的長い就寝中においても、首の保湿状態の維持を支援することができる。また、可撓性部３０の上下両端が、下顎および鎖骨に接続して支えることにより、可撓性部３０は、下顎が下がりすぎないように支え、仰臥時においても、使用者の首前面に皺が形成されづらい状態を維持することができる。
【００４６】
また本発明の第１の変形例においても、本発明の実施の形態と同様に、可撓性部３０は、予め外側に湾曲した形状で保形され、仰臥時のみならず立位時においても、甲状軟骨１０２の近傍に空間を形成しても良い。また、可撓性部３０は、予め外側に湾曲した形状で保形されて配設され、上端３１が下顎に押し出されることにより、外側にさらに湾曲しやすいように形成されても良い。
【００４７】
さらに本発明の第１の変形例においても、本発明の実施の形態と同様に、ネック本体部２は、縮小規制部４１を備えても良い。
【００４８】
（第２の変形例）
本発明の実施の形態および第１の変形例においては、仰臥時に、可撓性部の下端が鎖骨１０１に接続する場合を説明したが、これに限られない。第２の変形例においては、仰臥時に、可撓性部１０ｄの下端が、胸部に接続する場合を説明する。
【００４９】
図１２に示すように、第２の変形例に係る可撓性部１０ｄは、図２を参照して説明したように、使用者の前中心を離れた位置に設けられる。第２の変形例に係る可撓性部１０ｄは、図２を参照して説明した可撓性部１０よりも長く形成される。可撓性部１０ｄの下端１２ｄが乳房付近に当接した状態で、可撓性部１０ｄの上端１１ｄが顎下三角１０５によってさらに押されることにより、可撓性部１０ｄは、使用者の外側に向けて湾曲する。これにより第２の変形例においても実施の形態と同様に、甲状軟骨１０２の近傍に遊びを形成することができる。
【００５０】
このように、可撓性部が甲状軟骨１０２の近傍に空間を形成することができれば、可撓性部は、使用者のどの位置に接続しても良い。また、第１の変形例で示したシート形状についても、より長いシート形状を衣料１に装着し、図１２と同様に、可撓性部の下端を使用者の胸部のふくらみに接続しても良い。
【００５１】
（第３の変形例）
上述した実施の形態においては、衣料１がハイネックの上半身用衣料の場合について説明したが、これ以外の衣料についても適用できる。
【００５２】
例えば、図１３に示す衣料１ａは、ネック本体部２を備えるボレロであって、図１４に示す衣料１ｂは、ネック本体部２を備えるケープである。このように、ハイネックシャツ以外の上半身衣料にも、首を覆うネック本体部２を備える上半身用衣料に、可撓性部１０および縮小規制部２１を設けることにより、使用者は、ハイネックシャツの場合と同様の効果を得ることができる。
【００５３】
また、上半身用衣料以外にも適用することができる。図１５に示す衣料１ｃは、ネック本体部２を備えるマフラーである。図１６に示す衣料１ｄは、ネック本体部２を備えるフードである。
【００５４】
さらに、図１７に示すように、ネック本体部２を備えるネックウォーマー１ｅも考えられる。また図１８に示すネックウォーマー１ｆは、ネック本体部２が上下方向にずれることを防止するために、前掛け４を備える。この前掛けの裏面に、クリップ５などを設けて、着用者の上半身用衣料に接続しても良い。これにより、ネックウォーマーと上半身用衣料とのずれを防ぎ、保湿効果を高めることができる。
【００５５】
このように、上半身用衣料に限らず、使用者の首を覆うネック本体部２を備えることのできれば、どのような衣料に適用しても良い。また、図１３〜図１８を参照して説明した可撓性部１０は、本発明の実施の形態で説明した棒状タイプの場合を説明したが、第１の変形例で説明したシートタイプを適用しても良い。
【００５６】
（その他の実施の形態）
上記のように、本発明の実施の形態とその第１〜第３の変形例によって記載したが、この開示の一部をなす論述および図面はこの発明を限定するものであると理解すべきではない。この開示から当業者には様々な代替実施の形態、実施例および運用技術が明らかとなる。
【００５７】
例えば、可撓性部は、衣料に固着されても良いし、着脱可能に接続されても良い。可撓性部を着脱可能とする場合、留め具などでネック本体部に接続する場合や、ネック本体部２に可撓性部を配置する収容部を形成し、縮小部を出し入れする場合などが考えられる。また可撓性部または伸縮パーツは、立位時においても使用者側の外側に湾曲した形状を有していても良い。
【００５８】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５９】
１  衣料
２  ネック本体部
３  身頃部
４  前掛け
５  クリップ
１０、３０  可撓性部
１１、３１  上端
１２、３２  下端
２１、４１  縮小規制部
３３  第１の開口部
３４  第２の開口部
３５  応力集中部
１０１  鎖骨
１０２  甲状軟骨
１０３  胸鎖乳突筋
１０４  舌骨
１０５  顎下三角
【図１】
2014189916.tif 000003
【図２】
2014189916.tif 000004
【図３】
2014189916.tif 000005
【図４】
2014189916.tif 000006
【図５】
2014189916.tif 000007
【図６】
2014189916.tif 000008
【図７】
2014189916.tif 000009
【図８】
2014189916.tif 000010
【図９】
2014189916.tif 000011
【図１０】
2014189916.tif 000012
【図１１】
2014189916.tif 000013
【図１２】
2014189916.tif 000014
【図１３】
2014189916.tif 000015
【図１４】
2014189916.tif 000016
【図１５】
2014189916.tif 000017
【図１６】
2014189916.tif 000018
【図１７】
2014189916.tif 000019
【図１８】
2014189916.tif 000020